(57)【特許請求の範囲】
【請求項１】
液体化粧料を収納することができる容器本体と、この容器本体の口部材の上端部に取付けられた中栓と、前記容器本体の口部材の外周部のねじ部と螺合して前記中栓の開口部を開閉することができる金属材製の金冠およびこの金冠内に取付けられた合成樹脂材製のねじ蓋とからなるキャップとを備える液体化粧料の収納容器において、前記金冠の内壁面に形成された軸心方向のガイド溝および係合溝、前記ねじ蓋の外周部に形成された前記金冠のガイド溝と係合する係合片および前記係合溝と着脱可能に係止される係止片、前記中栓を取り外して前記キャップを前記容器本体の口部材のねじ部に螺合させると前記金冠の係合溝からねじ蓋の係止片が解除されて該ねじ蓋が開口部方向にスライド移動可能にする前記係止片形成部位の前記口部材の外周部との間に隙間を生ずるように形成された楕円形状の薄肉部で構成するスライド移動機構とからなるねじ蓋分解機構を設けたことを特徴とする液体化粧料の収納容器。
【発明の詳細な説明】
【０００１】
【発明の属する技術分野】
本発明は液体化粧料を収納する瓶等の収納容器に関する。
【０００２】
【従来の技術】
従来、この種の容器は液体化粧料を収納することができる容器本体と、この容器本体の口部材に取付けられた中栓と、前記容器本体の口部材の外周部のねじ部と螺合して該開口部を開閉することができる金属材製の金冠および該金冠内に接着剤等を用いて固定した合成樹脂材製のねじ蓋とからなるキャップとで構成されている。
【０００３】
【発明が解決しようとする課題】
従来のこの種容器は、金属材製の金冠と合成樹脂材製のねじ蓋とでキャップを構成したものを使用しているため、リサイクルするために分解する場合、ねじ蓋と金冠とを外すことが大変で、手数がかかり、コスト高になるという欠点があった。
【０００４】
本発明は以上のような従来の欠点に鑑み、使用時には金冠よりねじ蓋が外れるのを確実に防止することができるとともに、リサイクルする場合には中栓を外してキャップを締めることにより、容易に金冠よりねじ蓋を外して分離することができる液体化粧料等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は液体化粧料を収納することができる容器本体と、この容器本体の口部材の上端部に取付けられた中栓と、前記容器本体の口部材の外周部のねじ部と螺合して前記中栓の開口部を開閉することができる金属材製の金冠およびこの金冠内に取付けられた合成樹脂材製のねじ蓋とからなるキャップとを備える液体化粧料の収納容器において、前記金冠の内壁面に形成された軸心方向のガイド溝および係合溝、前記ねじ蓋の外周部に形成された前記金冠のガイド溝と係合する係合片および前記係合溝と着脱可能に係止される係止片、前記中栓を取り外して前記キャップを前記容器本体の口部材のねじ部に螺合させると前記金冠の係合溝からねじ蓋の係止片が解除されて該ねじ蓋が開口部方向にスライド移動可能にする前記係止片形成部位の前記口部材の外周部との間に隙間を生ずるように形成された楕円形状の薄肉部で構成するスライド移動機構とからなるねじ蓋分解機構を設けて液体化粧料の収納容器を構成している。
【０００７】
【発明の実施の形態】
以下、図面に示す実施の形態により、本発明を詳細に説明する。
【０００８】
図１ないし図５に示す本発明の第１の実施の形態において、１は化粧水や乳液等の液体化粧料２が収納されるガラス製、陶製、合成樹脂材製等の瓶形状の容器本体で、この容器本体１の口部材３の外周部にはねじ部４が形成されている。
【０００９】
５は前記容器本体１の口部材３の上端部に挿入固定された合成樹脂材製の中栓である。
【００１０】
６は前記容器本体１の口部材３の開口部３ａを開閉することができるキャップで、このキャップ６は金属材製の金冠７と、この金冠７内に軸心方向にスライド移動可能に取付けられた内壁面に前記容器本体１の口部材３の外周部に形成されたねじ部４と螺合するねじ部８が形成された鍔９付のねじ蓋１０と、常時は前記ねじ蓋１０を前記金冠７内に係止し、前記中栓５を取り外して前記キャップ６を前記容器本体１の口部材３のねじ部４に螺合させると、ねじ蓋１０の金冠７との係止状態を解除して開口部方向にスライド移動して分解することができるねじ蓋分解機構１１とで構成されている。
【００１１】
前記ねじ蓋分解機構１１は前記金冠７の内壁面に形成された軸心方向のガイド溝１２および開口端寄りの部位に複数個、あるいはリング状に形成された係合溝１３と、前記ねじ蓋１０の外壁面に形成された前記金冠７のガイド溝１２と係合する係合片１４および前記係合溝１３と着脱可能に係止される弧状の係止片１５と、前記中栓５を取り外して前記キャップ６を前記容器本体１の口部材３のねじ部４に螺合すると、前記金冠７の係合溝１３からねじ蓋１０の係止片１５が解除されて該ねじ蓋１０が開口部方向にスライド移動可能にするスライド移動機構としての前記係止片１５形成部位の前記口部材３の外周部との間に隙間１６を生ずるように形成された楕円形状の薄肉部１７とで形成されている。
【００１２】
上記構成の液体化粧料の収納容器１８は使用状態では容器本体１の口部材３に中栓５が挿入固定されているため、キャップ６を口部材３の外周部のねじ部４に螺合させても、金冠７とねじ蓋１０とが一体になっており、従来と同様に使用することができる。
【００１３】
液体化粧料の収納容器１８をリサイクルする場合、容器本体１の口部材３より中栓５を取り外す。
しかる後、図４に示すように容器本体１の口部材３の外周部のねじ部４にキャップ６を螺合させて締め付けると、ねじ蓋１０のねじ部８と口部材３の外周部のねじ部４との螺合によって、ねじ蓋１０が下方へスライド移動し、下端部が容器本体１の肩部に当接して停止されるが、さらなる締め付けにより、ねじ蓋１０の上部側が下方へスライド移動するため、係止片１５が形成されている部位が隙間１６側に変形し、係合溝１３との係止状態が解除される。
この状態で、キャップ６を容器本体１から外すことにより、容易に金冠７よりねじ蓋１０を抜き取ることができる。
【００１４】
【発明の異なる実施の形態】
次に、図７ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図６および図７に示す本発明の第２の実施の形態において、前記本発明の第１の実施の形態と主に異なる点は、鍔のないねじ蓋１０Ａと金冠７Ａを用いたキャップ６Ａを使用した点で、このように形成されたキャップ６Ａを用いた液体化粧料の収納容器１８Ａにしても、前記本発明の第１の実施の形態と同様な作用効果が得られる。
【００１６】
図８ないし図１０に示す本発明の第３の実施の形態において、前記本発明の第１の実施の形態と主に異なる点は、天板７ａ寄りの内壁面に係合溝１３を形成した金冠７Ｂと、上面より上方へ突出する複数個の突出片１９の外周部に前記係合溝１３と着脱可能に係合する係止片１５を形成したねじ蓋１０Ｂを用いたキャップ６Ｂを使用した点で、このように形成されたキャップ６Ｂを用いた液体化粧料の収納容器１８Ｂにしても、前記本発明の第１の実施の形態と同様な作用効果が得られる。
【００１７】
図１１および図１２に示す本発明の第４の実施の形態において、前記本発明の第３の実施の形態と主に異なる点は、鍔のないねじ蓋１０Ｃと金冠７Ｃを用いたキャップ６Ｃを使用した点で、このように形成されたキャップ６Ｃを用いた液体化粧料の収納容器１８Ｃにしても、前記本発明の第３の実施の形態と同様な作用効果が得られる。
【００１８】
図１３ないし図１５に示す本発明の第５の実施の形態において、前記本発明の第１の実施の形態と主に異なる点は、金冠７の内部に位置する開口端部に解除片２０が形成されたねじ蓋１０Ｄと、このねじ蓋１０Ｄの解除片２０の下方へのスライド移動によって金冠７の係合溝１３と着脱可能に係合する係止片１５の係合を解除する係止解除片２１を有し、下端部に鍔９を有する解除部材２２とを用いたキャップ６Ｄを使用した点で、このように構成されたキャップ６Ｄを用いた液体化粧料の収納容器１８Ｄにしても、前記本発明の第１の実施の形態と同様な作用効果が得られる。
【００１９】
図１６および図１７に示す本発明の第６の実施の形態において、前記本発明の第５の実施の形態と主に異なる点は、鍔のない解除部材２２Ａを用いたキャップ６Ｅを使用した点で、このように形成されたキャップ６Ｅを用いた液体化粧料の収納容器１８Ｅにしても、前記本発明の第５の実施の形態と同様な作用効果が得られる。
【００２０】
なお、前記本発明の各実施の形態では容器本体１に化粧水や乳液等の液体化粧料２を収納するものについて説明したが、本発明はこれに限らず、化粧品以外の液体やゼリー状、粒体等の流体を収納してもよい。
【００２１】
【発明の効果】
以上の説明から明らかなように、本発明にあっては次に列挙する効果が得られる。
【００２２】
（１）液体化粧料を収納することができる容器本体と、この容器本体の口部材の上端部に取付けられた中栓と、前記容器本体の口部材の外周部のねじ部と螺合して前記中栓の開口部を開閉することができる金属材製の金冠およびこの金冠内に取付けられた合成樹脂材製のねじ蓋とからなるキャップとを備える液体化粧料の収納容器において、前記金冠の内壁面に形成された軸心方向のガイド溝および係合溝、前記ねじ蓋の外周部に形成された前記金冠のガイド溝と係合する係合片および前記係合溝と着脱可能に係止される係止片、前記中栓を取り外して前記キャップを前記容器本体の口部材のねじ部に螺合させると前記金冠の係合溝からねじ蓋の係止片が解除されて該ねじ蓋が開口部方向にスライド移動可能にする前記係止片形成部位の前記口部材の外周部との間に隙間を生ずるように形成された楕円形状の薄肉部で構成するスライド移動機構とからなるねじ蓋分解機構を設けたので、使用時には金冠とねじ蓋とが外れることなく従来と同様に使用することができるとともに、リサイクルする場合には容器本体の口部材に取付けられている中栓を取り外してキャップをすることにより、ねじ蓋分解機構によって金冠に係止されているねじ蓋の係止状態を解除することができる。
したがって、係止状態を解除したキャップを容器本体より外すことにより、ねじ蓋を金冠より容易に取り外すことができ、材質ごとに分別することができる。
【００２３】
（２）前記（１）によって、外から見た状態では従来と同様な形状になっているので、いたずらや、誤って金冠とねじ蓋とが外れたりするのを確実に防止することができる。
したがって、安全に使用することができる。
【００２４】
（３）前記（１）によって、中栓を取り外してキャップを容器本体に締め付けるだけでよいので、その作業が容易で、短時間に行なうことができ、リサイクルのコストの低減を図ることができる。
【図面の簡単な説明】
【図１】本発明の第１の実施の形態の断面図。
【図２】図１の２−２線に沿う拡大断面図。
【図３】本発明の第１の実施の形態のキャップの説明図。
【図４】中栓を取り外してキャップを締め付けた状態の要部拡大断面図。
【図５】金冠とねじ蓋の取り外し状態の要部拡大断面図。
【図６】本発明の第２の実施の形態の断面図。
【図７】中栓を取り外してキャップを締め付けた状態の要部拡大断面図。
【図８】本発明の第３の実施の形態の断面図。
【図９】本発明の第３の実施の形態のキャップの説明図。
【図１０】中栓を取り外してキャップを締め付けた状態の要部拡大断面図。
【図１１】本発明の第４の実施の形態の断面図。
【図１２】中栓を取り外してキャップを締め付けた状態の要部拡大断面図。
【図１３】本発明の第５の実施の形態の断面図。
【図１４】本発明の第５の実施の形態のキャップの説明図。
【図１５】中栓を取り外してキャップを締め付けた状態の要部拡大断面図。
【図１６】本発明の第６の実施の形態の断面図。
【図１７】中栓を取り外してキャップを締め付けた状態の要部拡大断面図。
【符号の説明】
１：容器本体、            ２：液体化粧料、
３：口部材、              ４：ねじ部、
５：中栓、
６、６Ａ、６Ｂ、６Ｃ、６Ｄ、６Ｅ：キャップ、
７、７Ａ、７Ｂ、７Ｃ：金冠、
８：ねじ部、
９：鍔、
１０、１０Ａ、１０Ｂ、１０Ｃ、１０Ｄ：ねじ蓋、
１１：ねじ蓋分解機構、  １２：ガイド溝、
１３：係合溝、          １４：係合片、
１５：係止片、          １６：隙間、
１７：スライド移動機構としての薄肉部、
１８、１８Ａ〜１８Ｅ：液体化粧料の収納容器、
１９：突出片、          ２０：解除片、
２１：係止解除片、
２２、２２Ａ：解除部材。
【図１】
0004030159.tif 000002
【図２】
0004030159.tif 000003
【図３】
0004030159.tif 000004
【図４】
0004030159.tif 000005
【図５】
0004030159.tif 000006
【図６】
0004030159.tif 000007
【図７】
0004030159.tif 000008
【図８】
0004030159.tif 000009
【図９】
0004030159.tif 000010
【図１０】
0004030159.tif 000011
【図１１】
0004030159.tif 000012
【図１２】
0004030159.tif 000013
【図１３】
0004030159.tif 000014
【図１４】
0004030159.tif 000015
【図１５】
0004030159.tif 000016
【図１６】
0004030159.tif 000017
【図１７】
0004030159.tif 000018